(57)【要約】【課題】  記録メディアに記録されたデータの保守性を向上することができる記録メディアカートリッジを得る。【解決手段】  記録テープカートリッジ１０は、記録メディアである磁気テープＴを巻装したリール１４をケース１２内に収容して構成されており、磁気テープＴにおける既にデータが書き込まれている記録領域にはデータを上書きすることが禁止される、所謂ＷＯＲＭ機能を有する。ケース１２内には、磁気テープＴに書き込むデータを管理するためのデータ管理情報を記憶する第１メモリボード３８と、磁気テープＴに対するデータの書き込みを管理するためのＷＯＲＭ管理情報を記憶する第２メモリボード４２とが設けられている。【選択図】      図１
2006040435.tif 000002
【特許請求の範囲】
【請求項１】
ケース内に記録メディアを収容し、該記録メディアの既にデータを書き込んだ記録領域にはデータを上書きしないようにする記録メディアカートリッジであって、
前記記録メディアに書き込まれるデータを管理するための情報を記憶する第１のメモリデバイスと、前記記録メディアに対するデータの書き込みを管理するための情報を記憶する第２のメモリデバイスとをそれぞれ前記ケース内に設けた記録メディアカートリッジ。
【請求項２】
前記第１のメモリデバイス及び第２のメモリデバイスとを、それぞれドライブ装置のメモリ読み取り手段又はメモリ書き込み手段との非接触の通信処理によって情報の読み取り又は書き込みが行なわれる構成とし、
かつ、前記第１のメモリデバイス及び第２のメモリデバイスとを、前記ケース内における異なる角隅部に配置した、請求項１記載の記録メディアカートリッジ。
【請求項３】
前記第１のメモリデバイス及び第２のメモリデバイスとを、それぞれドライブ装置のメモリ読み取り手段又はメモリ書き込み手段との非接触の通信処理によって情報の読み取り又は書き込みが行なわれる構成とし、
かつ、前記第１のメモリデバイスの通信方向と、第２のメモリデバイスの通信方向とを異なる方向とした、請求項１記載の記録メディアカートリッジ。
【請求項４】
前記第１のメモリデバイス及び第２のメモリデバイスの一方を、ドライブ装置のメモリ読み取り手段又はメモリ書き込み手段と電気的に接触して行なう通信処理によって情報の読み取り又は書き込みが行なわれる構成とした、請求項１記載の記録メディアカートリッジ。
【請求項５】
前記ケースを分解することに伴って、前記第２のメモリデバイスが破懐されるようにした、請求項１乃至請求項４の何れか１項記載の記録メディアカートリッジ。
【発明の詳細な説明】
【技術分野】
【０００１】
本発明は、例えばリールに巻装された記録テープや円盤状のディスクメディアをケース内に収容した記録メディアカートリッジに関する。
【背景技術】
【０００２】
コンピュータ等の外部記録媒体として、例えば、リールに巻装された記録テープや円盤状のディスクメディアをケース内に収容した記録メディアカートリッジが知られている。このような記録メディアカートリッジにおいて、データの書き込みを１度だけ許容し、データが書き込まれた記憶領域へのデータの上書きを禁止して、その後は追加記録又は読み取り専用の記録媒体として使用される、所謂ＷＯＲＭ機能を有するものが考えられている。このＷＯＲＭ機能を実現するために、カーリッジケース内に設けたメモリデバイスを使用することが考えられている（例えば、特許文献１、特許文献２参照）。メモリデバイスは、記録メディアとして磁気テープを用いた記録テープカートリッジに適用されており、本来は、テープフォーマット、シリアル番号、エラー率などの磁気テープに記録されるデータの管理用情報を記憶するメモリであり、ＷＯＲＭ機能を実現するために、例えば、ＷＯＲＭタイプのカートリッジである旨の情報を記憶する構成とされている。
【特許文献１】特開２００３−１２３３４２号公報
【特許文献２】特開２０００−２６８４４３号公報
【発明の開示】
【発明が解決しようとする課題】
【０００３】
しかしながら、上記の如き従来の記録メディアカートリッジでは、１つのメモリデバイスにデータ管理用の情報及びＷＯＲＭ機能用の情報を記憶するため、これらの情報が同じ記憶形式で記憶されていた。このため、一般に重要なデータを記録するＷＯＲＭタイプの記録メディアに対するセキュリティの向上を図ることが困難であった。
【０００４】
本発明は、上記事実を考慮して、記録メディアに記録されたデータの保守性を向上することができる記録メディアカートリッジを得ることが目的である。
【課題を解決するための手段】
【０００５】
上記目的を達成するために請求項１記載の発明に係る記録メディアカートリッジは、ケース内に記録メディアを収容し、該記録メディアの既にデータを書き込んだ記録領域にはデータを上書きしないようにする記録メディアカートリッジであって、前記記録メディアに書き込まれるデータを管理するための情報を記憶する第１のメモリデバイスと、前記記録メディアに対するデータの書き込みを管理するための情報を記憶する第２のメモリデバイスとをそれぞれ前記ケース内に設けた。
【０００６】
請求項１記載の記録メディアカートリッジは、記録メディアと、第１及び第２のメモリデバイスとがそれぞれケース内に収容されて、記録メディアにおける既にデータが書き込まれた記録領域にはデータを上書きしないようにする所謂ＷＯＲＭ機能を有する構成とされている。この記録メディアカートリッジでは、第１のメモリデバイスには、例えばデータフォーマットやエラー情報等の記録メディアに書き込まれるデータを管理するための情報を記憶する。一方、第２のメモリデバイスには、上記ＷＯＲＭ機能を実現するために、例えば、ＷＯＲＭタイプの記録メディアカートリッジであること、記録メディアにおける既にデータが記憶された領域等、記録メディアに対するデータの書き込み又は書き込み制限を管理するための情報（以下、ＷＯＲＭ管理情報という）を記憶する。
【０００７】
ところで、記録メディアに書き込まれた（記録された）データを書き換えるためには、第２のメモリデバイスに記憶されているＷＯＲＭ管理情報を改変する必要がある。すなわち、例えば、本記録メディアカートリッジがＷＯＲＭタイプではないとドライブ装置に認識させるか、ＷＯＲＭタイプであるが書き換えるべき記録領域に情報の書き込みが行なわれていないとドライブ装置に認識させるように、悪意のデータ改ざん者が第２のメモリデバイスのＷＯＲＭ管理情報を変更することになる。
【０００８】
ここで、ＷＯＲＭ管理情報を記憶した第２のメモリデバイスを第１のメモリデバイスとは別のデバイスとして構成しているため、該第２のメモリデバイスを第１のメモリデバイスに対しセキュリティの高い設定とすることができる。すなわち、例えば第２のメモリデバイスの書き込み方式を第１のメモリデバイスの書き込み方式とは異なる方式とし、情報の書き換えに特殊なドライバを要する構成とするこで、ＷＯＲＭ管理情報の改変が困難になる。これにより、記録メディアに書き込まれたデータの改ざんが困難になる。
【０００９】
このように、請求項１記載の記録メディアカートリッジでは、記録メディアに記録されたデータの保守性を向上することができる。なお、第１及び第２のメモリデバイスは、少なくとも記憶している上記データ管理用の情報、ＷＯＲＭ管理情報をドライブ装置に認識させることができれば足り、情報を新たに書き込むことを必須の要件とするものではない。
【００１０】
請求項２記載の発明に係る記録メディアカートリッジは、請求項１記載の記録メディアカートリッジにおいて、前記第１のメモリデバイス及び第２のメモリデバイスとを、それぞれドライブ装置のメモリ読み取り手段又はメモリ書き込み手段との非接触の通信処理によって情報の読み取り又は書き込みが行なわれる構成とし、かつ、前記第１のメモリデバイス及び第２のメモリデバイスとを、前記ケース内における異なる角隅部に配置した。
【００１１】
請求項２記載の記録メディアカートリッジでは、第１及び第２のメモリデバイスは、それぞれドライブ装置の対応するメモリ読み取り手段又はメモリ書き込み手段と非接触で（無線で）通信を行ない、それぞれの情報の読み取り又は書き込みが行なわれる。ここで、第１のメモリデバイスと第２のメモリデバイスとがケースにおける異なる角隅部に配置されているため、換言すれば、２つのメモリデバイスが離間して配置されているため、これらの通信が混線することが防止される。
【００１２】
請求項３記載の発明に係る記録メディアカートリッジは、請求項１記載の記録メディアカートリッジにおいて、前記第１のメモリデバイス及び第２のメモリデバイスとを、それぞれドライブ装置のメモリ読み取り手段又はメモリ書き込み手段との非接触の通信処理によって情報の読み取り又は書き込みが行なわれる構成とし、かつ、前記第１のメモリデバイスの通信方向と、第２のメモリデバイスの通信方向とを異なる方向とした。
【００１３】
請求項３記載の記録メディアカートリッジでは、第１及び第２のメモリデバイスは、それぞれドライブ装置の対応するメモリ読み取り手段又はメモリ書き込み手段と非接触で（無線で）通信を行ない、それぞれの情報の読み取り又は書き込みが行なわれる。ここで、第１のメモリデバイスが対応するメモリ読み取り手段又はメモリ書き込み手段と通信する方向と、第２のメモリデバイスが対応するメモリ読み取り手段又はメモリ書き込み手段と通信する方向とが互いに異なる方向とされているため、これらの通信が混線することが防止される。
【００１４】
請求項４記載の発明に係る記録メディアカートリッジは、請求項１記載の記録メディアカートリッジにおいて、前記第１のメモリデバイス及び第２のメモリデバイスの一方を、ドライブ装置のメモリ読み取り手段又はメモリ書き込み手段と電気的に接触して行なう通信処理によって情報の読み取り又は書き込みが行なわれる構成とした。
【００１５】
請求項４記載の記録メディアカートリッジでは、第１及び第２のメモリデバイスの何れか一方は、接触式メモリデバイスとされ、ドライブ装置のメモリ読み取り手段又はメモリ書き込み手段と接触しつつ通信を行なうことで、情報の読み取り又は書き込みが行なわれる。ここで、第１及び第２のメモリデバイスの一方が接触式メモリデバイスであるため、他方が非接触式のメモリデバイスであっても、これらの通信に混線が生じることがない。このため、第１及び第２のメモリデバイスの配置自由度が高い。また、接触式のメモリデバイスは非接触式のメモリデバイスと比較して安価に構成することができ、ＷＯＲＭ機能を安価に構成することが可能となる。
【００１６】
請求項５記載の発明に係る記録メディアカートリッジは、請求項１乃至請求項４の何れか１項記載の記録メディアカートリッジにおいて、前記ケースを分解することに伴って、前記第２のメモリデバイスが破懐されるようにした。
【００１７】
請求項５記載の記録メディアカートリッジでは、記録メディアに記録されたデータを改ざんすべくケース内の第２のメモリデバイスを取り出すために該ケースを分解すると、第２のメモリデバイスが破壊される。この破壊によって、ドライブ装置側は第２のメモリデバイスに記憶されたＷＯＲＭ管理情報の読み取りが不能になるので、このドライブ装置をＷＯＲＭ管理情報の入力がない場合に記録メディアへのデータ書き込みを行なわない設定としておけば、記録メディアに書き込んだデータが改ざんされることが防止される。なお、本記録テープカートリッジにおいて、第２のメモリデバイスの情報を読み取る読み取り手段を備えないドライブ装置では、記録メディアにデータが書き込まれないように設定しておくことが望ましい。
【発明の効果】
【００１８】
以上説明したように本発明に係る記録メディアカートリッジは、記録メディアに記録されたデータの保守性を向上することができる。
【発明を実施するための最良の形態】
【００１９】
本発明の第１の実施形態に係る記録メディアカートリッジとしての記録テープカートリッジ１０について、図１乃至図３に基づいて説明する。なお、説明の便宜上、矢印Ａで示す記録テープカートリッジ１０のドライブ装置への装填方向を記録テープカートリッジ１０の前方向（前側）とし、矢印Ａと直交する矢印Ｂ、矢印Ｃ方向をそれぞれ右方向、上方向とする。
【００２０】
図１には記録テープカートリッジ１０の全体構成が斜視図にて示されており、図２には記録テープカートリッジ１０の概略の分解斜視図が示されている。これらの図に示される如く、記録テープカートリッジ１０は、平面視で略矩形状のケース１２内に、情報記録再生媒体である記録メディアとしての磁気テープＴを巻装した単一のリール１４を回転可能に収容して構成されている。
【００２１】
ケース１２の右側壁の前端部には、磁気テープＴをケース１２外に引き出すための開口１６が設けられている。この開口１６は、記録テープカートリッジ１０（磁気テープＴ）の不使用時にはドア１８によって閉塞され、記録テープカートリッジ１０の使用時にはドライブ装置内で開放されるようになっている。また、磁気テープＴの先端には、リーダ部材であるリーダピン２０が取り付けられている。リーダピン２０は、小円柱状に形成されており、磁気テープＴの幅方向端部よりも上下に突出する長手方向両端にそれぞれ設けられたフランジ部２０Ａが、ドライブ装置の引出部材に引掛けられて磁気テープＴをケース１２から引き出させるようになっている。
【００２２】
ケース１２は、上ケース２２と下ケース２４とを接合して構成されている。上ケース２２は、平面視略矩形状の天板２２Ａの外縁に沿って略枠状の周壁２２Ｂが立設されて構成されており、下ケース２４は、天板２２Ａに略対応した形状の底板２４Ａの外縁に沿って周壁２４Ｂが立設されて構成されている。そして、ケース１２は、周壁２２Ｂの開口端と周壁２４Ｂの開口端とを突き当てた状態で、超音波溶着やビス止め等によって上ケース２２と下ケース２４とが接合されて、略箱状に形成されている。
【００２３】
開口１６は、側面視で略矩形状に形成され、ケース１２における矢印Ａ方向に沿う右側壁１２Ａ（周壁２２Ｂと周壁２４Ｂとで構成されるケース１２の右向き壁）における前端で右向きに開口している。天板２２Ａ及び底板２４Ａには、それぞれ直立したリーダピン２０のフランジ部２０Ａを収容するピン受け凹部２６が設けられている。各ピン受け凹部２６は、開口１６の前端近傍で右向きにも開口しており、開口１６を経由したリーダピン２０のケース１２に対する出入りを可能としている。また、ケース１２の前端近傍には、板ばね２８が取り付けられており、板ばね２８には上下一対のアーム２８Ａが設けられている。板ばね２８は、各アーム２８Ａの先端をリーダピン２０のフランジ部２０Ａに係合させてリーダピン２０をケース１２に対し保持するようになっている。この保持状態は、リーダピン２０を所定値以上の力で右方に引張ることで解除される構成である。
【００２４】
この開口１６を開閉するドア１８は、単独で開口１６を閉塞可能な略矩形平板状に形成されている。ドア１８の上下の端部は、開口１６の開放面及び右側壁１２Ａに沿って天板２２Ａ及び底板２４Ａに設けられたガイド溝３０に摺動可能に入り込んでいる。これにより、ドア１８は、ガイド溝３０に案内されつつ前後方向にスライドすることで、開口１６を閉塞する閉塞位置と、開口１６を開放する開放位置とを選択的に取り得る構成とされている。そして、ドア１８は、ケース１２との間に設けられた付勢部材であるコイルばね３２によって前方に付勢されており、通常はこの付勢力によって閉塞位置に位置するようになっている。ドア１８の前端には、操作部１８Ａが右方に張り出して設けられており、この操作部１８Ａを後方に押圧することで、コイルばね３２の付勢力に抗してドア１８を開放位置に移動することができるようになっている。
【００２５】
また、ケース１２の底板２４Ａの中央部には、リール１４の図示しないリールギヤを露出するためのギヤ開口３４が設けられている。リール１４は、リールギヤに噛み合わされたドライブ装置の駆動ギヤが回転することで、ケース１２内で非接触で回転駆動される構成である。なお、リール１４は、磁気テープＴの不使用時には、図示しないロック機構によってケース１２に対する回転が阻止され、上記リールギヤと駆動ギヤとの噛み合いに伴って該回転阻止状態が解除されるようになっている。さらに、ケース１２には、ギヤ開口３４と同軸的な円周に沿って天板２２Ａ及び底板２４Ａから部分的に立設されると共に上下端を突き合わせて構成された誘導規制壁３６を備えている。誘導規制壁３６は、リール１４のガタつきを抑えると共に、端部を周壁２２Ｂ、２４Ｂに連続させてリール１４の設置領域に塵芥等が進入することを防止する構成とされている。
【００２６】
以上説明した記録テープカートリッジ１０は、磁気テープＴにおける既にデータが書き込まれた（データを記録した）記録領域にはデータを上書きすることのない、すなわち、磁気テープＴにデータを一度記録した後は追加記型又は読み取り専用の記録メディアカートリッジとして機能する、所謂ＷＯＲＭタイプの記録テープカートリッジとして構成とされている。以下、具体的に説明する。
【００２７】
記録テープカートリッジ１０は、第１のメモリデバイスとしての第１メモリボード（カートリッジメモリ）３８を備えている。第１メモリボード３８は、基板の表面に通信部としてのアンテナを設けると共に、該基板の裏面にメモリ部としてのＩＣチップ（何れも図示省略）を設けて構成されている。この第１メモリボード３８は、ケース１２の右後部で周壁２２Ｂ、２４Ｂと誘導規制壁３６とに囲まれた角隅部１２Ｂに配置されている。具体的には、ケース１２の角隅部１２Ｂには、底板２４Ａの上面と後側の周壁２４Ｂの内面とに跨って、左右一対のメモリ支持リブ４０が立設されている。各メモリ支持リブ４０は、支持面である上縁が所定角度（本第１の実施形態では４５°）前傾している。そして、第１メモリボード３８は、各メモリ支持リブ４０の傾斜した支持面と、上ケース２２から突設された図示しない押えリブとの間に挟み込まれてケース１２に保持されている。
【００２８】
この状態では、第１メモリボード３８は、アンテナ側を下後方に向けており、後向き、下向きに非接触で通信可能とされている。これにより、第１メモリボード３８は、図３に示される如く、例えばドライブ装置内でケース１２の下方に位置する読取・書込用装置４６に対し、下向きに非接触で通信を行ない、ドライブ装置に情報を読み取らせ、又はドライブ装置によって情報が書き込ませる（更新を含む）ことができる構成である。また、第１メモリボード３８は、例えばライブラリ装置においてケース１２の後方からアクセスしてくる図示しない読み取り装置に対し、後向きに非接触で通信を行ない、ライブラリ装置に情報を読み取らせることができる。
【００２９】
以上説明した第１メモリボード３８は、例えば、磁気テープＴのテープフォーマット、校正情報、最後の情報書き込み場所、ドライブ装置への装填回数等を含む、磁気テープＴに記録されるデータを管理するためのデータ管理情報を予め記憶し、又は記憶情報が適時更新される。また、第１メモリボード３８には、上記データ管理情報の他に、書き込み禁止情報を記憶している。そして、この書き込み禁止情報をドライブ装置に読み取らせ、又はドライブ装置への装填前にライブラリ装置に読み取らせることで、磁気テープＴへのデータ書き込み、消去を禁止させるようになっている。これにより、本記録テープカートリッジ１０のＷＯＲＭ機能に対応しないドライブ装置に該記録テープカートリッジ１０を装填した場合、磁気テープＴへのデータの記録は一切行なわれない構成である。なお、この第１メモリボード３８は、書き込み禁止情報を記憶している以外は、ＷＯＲＭ機能を備えない通常の記録テープカートリッジのメモリボードと同じ構成（設定）である。
【００３０】
また、記録テープカートリッジ１０は、第２のメモリデバイスとしての第２メモリボード４２を備えている。第２メモリボード４２は、基板の表面に通信部としてのアンテナを設けると共に、該基板の裏面にメモリ部としてのＩＣチップ（何れも図示省略）を設けて構成されている。この第２メモリボード４２は、ケース１２の左後部で周壁２２Ｂ、２４Ｂと誘導規制壁３６とに囲まれた角隅部１２Ｃに配置されている。具体的には、ケース１２の左後角隅部１２Ｃには、底板２４Ａの上面と後側の周壁２４Ｂの内面とに跨って、左右一対のメモリ支持リブ４４が立設されている。各メモリ支持リブ４４は、支持面を構成する上縁が所定角度（本第１の実施形態では４５°）前傾して前傾している。そして、第２メモリボード４２は、各メモリ支持リブ４４の傾斜した支持面と、上ケース２２から突設された図示しない押えリブとの間に挟み込まれてケース１２に保持されている。
【００３１】
この状態では、第２メモリボード４２は、アンテナ側を下後方に向けており、後向き、下向きに非接触で通信可能とされている。これにより、第２メモリボード４２は、図３に示される如く、例えばドライブ装置内でケース１２の下方に位置する読取・書込用装置４８に対し、下向きに非接触で通信を行ない、ドライブ装置に情報を読み取らせ、又はドライブ装置によって情報が書き込ませる（更新を含む）ことができる構成である。また、第２メモリボード４２は、例えばライブラリ装置においてケース１２の後方からアクセスしてくる図示しない読み取り装置に対し、後向きに非接触で通信を行ない、ライブラリ装置に情報を読み取らせることができる。
【００３２】
ケース１２の異なる角隅部１２Ｃ、１２Ｂに配置された第２メモリボード４２と第１メモリボード３８とは、第１メモリボード３８と通信を行なう読取・書込用装置４６の電波照射距離（通信距離）、第２メモリボード４２と通信を行なう読取・書込用装置４８の電波照射距離よりも十分に大きな離間距離が確保されている。角隅部１２Ｃは、例えばＷＯＲＭ機能を備えない記録テープカートリッジがライトプロテクト用の誤消去防止プラグを配置する部分であり、本第１の実施形態ではライトプロテクト機能を要しないＷＯＲＭタイプにおいて有効利用している。なお、角隅部１２Ｂは、ＷＯＲＭ機能を備えない記録テープカートリッジにおけるメモリボード設置位置である。
【００３３】
以上説明した第２メモリボード４２は、記録テープカートリッジ１０が上記ＷＯＲＭ機能を果たすためのＷＯＲＭ管理情報を記憶するようになっている。本第１の実施形態では、本記録テープカートリッジ１０がＷＯＲＭ機能を有するとの情報、磁気テープＴにデータが書き込まれた場合に、該磁気テープＴにおけるデータが書き込まれた記録領域の場所、磁気テープＴに記録したデータが再生された場合は再生された範囲や回数が第２メモリボード４２に記憶されるようになっている。また、第２メモリボード４２は、磁気テープＴにおける未使用部分へのデータ記録を許容する新規書き込み許容情報が記憶されており、磁気テープＴにおける既にデータが書き込まれた記録領域にデータの上書きを禁止する旨の上書き禁止情報を記憶する（既書き込み部に対する新規書き込み許容情報を上書き禁止情報に変換して記憶する）。
【００３４】
第２メモリボード４２に記憶したＷＯＲＭ機能を有する旨の情報が読取・書込用装置４８によってドライブ装置に読み取られると、第１メモリボード３８の記憶している書き  込み禁止情報は無視されるようになっている。これにより、記録テープカートリッジ１０は、読取・書込用装置４８を備えたドライブ装置に装填された場合には、上記ＷＯＲＭ機能の制約の範囲内でドライブ装置に入力される指令信号に基づいて使用される（磁気テープＴへのデータの記録又は磁気テープＴに記録したデータの再生を行なう構成とされている。
【００３５】
さらに、第２メモリボード４２では、第１メモリボード３８とは情報の書き込み方式が異なっている。これにより、第２メモリボード４２は、第１メモリボード３８に対応する読み込みドライバ（リーダ）、書き込みドライバ（ライタ）では、その記憶している情報を読み込んだり、又は情報を書き込んだり（書き換えたり）することができない構成とされている。すなわち、第２メモリボード４２は、第１メモリボード３８にセキュリティの高い設定とされている。
【００３６】
以上まとめると、記録テープカートリッジ１０は、第１メモリボード３８と第２メモリボード４２とを備えＷＯＲＭ機能を果たす構成とされている。この記録テープカートリッジ１０に対応したドライブ装置は、２つの読取・書込用装置４６、４８を備え、ＷＯＲＭ機能の制約の範囲内で記録テープカートリッジ１０の磁気テープＴへのデータの書き込みを行ない、又は磁気テープＴに記録されたデータの再生を行なう構成とされている。このドライブ装置は、第２メモリボード４２を備えない（読取・書込用装置４８との間で通信が行なわれない）記録テープカートリッジが装填された場合、該記録テープカートリッジの磁気テープにはデータを書き込まない設定とされている。
【００３７】
また、読取・書込用装置４８を備えないドライブ装置では、記録テープカートリッジ１０の第１メモリボード３８に記憶させた書き込み禁止情報によって、磁気テープＴへのデータ書き込みが全くできないようになっている。さらに、本第１の実施形態では、磁気テープＴに予め記録されているサーボ信号が、ＷＯＲＭ機能に対応しない記録テープカートリッジのサーボ信号とは異なっている。これにより、記録テープカートリッジ１０は、仮に第１メモリボード３８に書き込み禁止信号が記憶されていないとしても、ＷＯＲＭ機能に対応しないドライブ装置では磁気テープＴへのデータの書き込みができない構成とされている。
【００３８】
次に、本第１の実施形態の作用について説明する。
【００３９】
上記構成の記録テープカートリッジ１０では、不使用時には、ドア１８がコイルばね３２の付勢力によって開口１６を閉塞している。この記録テープカートリッジ１０の磁気テープＴが未使用である場合には、第２メモリボード４２には書き込み履歴、書き込み領域、再生履歴が記憶されていない。
【００４０】
この記録テープカートリッジ１０は、読取・書込用装置４８を備えないドライブ装置に装填されると、このドライブ装置は、読取・書込用装置４６によって第１メモリボード３８の書き込み禁止情報を読み込み、該記録テープカートリッジ１０が情報の書き込み不可であると認識する。そして、自動的に記録テープカートリッジ１０を排出する。これにより、仮に磁気テープＴに既にデータが記録されていたとしても、このデータが消去されてしまうことが防止される。また、ＷＯＲＭ機能を有する記録テープカートリッジ１０の磁気テープＴに、本来記録すべきではない比較的重要度の低いデータが記録されてしまうことも防止される。
【００４１】
記録テープカートリッジ１０が読取・書込用装置４６、４８を共に備えるドライブ装置に装填されると、このドライブ装置は、読取・書込用装置４６によって第１メモリボード３８の書き込み禁止情報を読み込むと共に、読取・書込用装置４８によって第２メモリボード４２のＷＯＲＭ機能を有する旨の信号を読み込む。すると、このドライブ装置は、書き込み禁止情報を無視し、処理指令に基づく処理を行なう。この処理指令が磁気テープＴへのデータの記録である場合には、ドライブ装置は、磁気テープＴに指令に基づくデータを書き込む。
【００４２】
なお、記録テープカートリッジ１０は、読取・書込用装置４６、４８により第１及び第２メモリボードの情報が読み込まれるのに先だって、ドライブ装置への装填動作によってドア１８の操作部１８Ａが後向きに押圧されることで開口１６が開放され、この状態でドライブ装置内で位置決めされている。そして、リーダピン２０をドライブ装置のテイクアップリールに誘導し、該テイクアップリールをリール１４と同期して回転駆動することで開口１６を通じて磁気テープＴをケース１２から順次引き出しつつ、所定のテープ経路に沿って配設した記録ヘッドによって磁気テープＴにデータを書き込む（記録する）。
【００４３】
そして、このドライブ装置は、読取・書込用装置４８によって、磁気テープＴにデータが書き込まれた旨及び磁気テープＴにおけるデータが書き込まれた範囲（領域）を、第２メモリボード４２に記憶する。第１メモリボード３８には、磁気テープＴに記録した又は記録するデータを管理するためのデータ管理情報が適宜記憶され又は更新される。
【００４４】
この後、記録テープカートリッジ１０は、磁気テープＴにデータ書き込み可能な記録領域が残存している場合には、残存している記録領域にのみデータの記録を許容すると共に記録したデータの再生可能な追加記録型の記録テープカートリッジとして機能する。一方、磁気テープＴにデータを記録可能な記録領域が残存していない場合には、記録テープカートリッジ１０は、記録したデータの再生のみ許容する読み取り専用の記録テープカートリッジとして機能する。
【００４５】
磁気テープＴに記録したデータを再生する際には、記録テープカートリッジ１０はドライブ装置に装填され、上記の記録の場合と同様にケース１２から磁気テープＴが順次引き出され、所定のテープ経路に沿って配設された再生ヘッドによって磁気テープに記録されたデータが読み取られ、再生される。なお、ドライブ装置は、磁気テープＴに対するデータ記録機能及び再生機能を共に備えるものであっても良く、記録専用又は再生専用のものであっても良い。
【００４６】
ところで、磁気テープＴに記録されたデータを書き換えるためには、第２メモリボード４２に記憶されているＷＯＲＭ管理情報を改変する必要がある。すなわち、例えば、本記録テープカートリッジ１０がＷＯＲＭタイプではないとドライブ装置に認識させるか、ＷＯＲＭタイプであるが書き換えるべき記録領域にデータが書き込みまれていないとドライブ装置に認識させるように、悪意のデータ改ざん者が第２メモリボード４２のＷＯＲＭ管理情報を変更することになる。
【００４７】
ここで、ＷＯＲＭ管理情報を記憶した第２メモリボード４２を第１メモリボード３８とは別のデバイスとして構成しているため、該第２メモリボード４２を第１メモリボード３８よりもセキュリティの高い設定とすることが実現されている。これにより、第２メモリボード４２に記憶しているＷＯＲＭ管理情報に対するセキュリティが向上し、該ＷＯＲＭ管理情報の改変や追記が困難である。したがって、磁気テープＴに記録したデータの改ざんも困難になる。
【００４８】
また、ＷＯＲＭ機能に対応しないドライブ装置によって磁気テープＴに記録されているデータの改ざんを試みても、第１メモリボード３８に書き込み禁止情報が記憶されているため、磁気テープＴに対するデータ書き込み動作が禁止される。しかも、磁気テープＴのサーボ信号がＷＯＲＭ機能に対応しない磁気テープのサーボ信号とは異なるため、第１メモリボード３８の情報が改変されて書き込み禁止情報が削除され、ドライブ装置が磁気テープＴにデータを書き込もうとしても、この改ざんデータが磁気テープＴに書き込まれることはない。
【００４９】
このように、本第１の実施形態に係る記録テープカートリッジ１０では、磁気テープＴに記録されたデータの保守性を向上することができる。
【００５０】
また、記録テープカートリッジ１０では、それぞれドライブ装置の読取・書込用装置４６、４８と非接触で通信を行なう第１及び第２メモリボード３８、４２がケース１２における異なる角隅部１２Ｂ、１２Ｃに配置されているため、換言すれば、第１及び第２メモリボード３８、４２が互いに読取・書込用装置４６、４８との通信距離よりも大きく離間して配置されているため、これらの通信が混線することが防止される。
【００５１】
（他の実施形態）
次に、本発明の他の実施形態を説明する。なお、上記第１の実施形態と基本的に同一の部品・部分については、第１の実施形態と同一の符号を付してその説明を省略する。
【００５２】
図４には、本発明の第２の実施形態に係る記録メディアカートリッジとして記録テープカートリッジ５０が斜視図にて示されている。この図に示される如く、記録テープカートリッジ５０は、第２メモリボード４２が第１メモリボード３８と共にケース１２内における右後の角隅部１２Ｂに配置されている点で、第１の実施形態に係る記録テープカートリッジ１０とは異なる。
【００５３】
第２メモリボード４２は、アンテナ設置面を右側壁１２Ａの内面に対向させて（右外側に向けて）該右側壁１２Ａに沿って配置されている。第２メモリボード４２は、図示しない溝部や壁部間等に入り込んでケース１２に対し保持されている。これにより、第２メモリボード４２は、例えばドライブ装置内でケース１２の右方に位置する読取・書込用装置４８に対し、右向きに非接触で通信を行ない、ドライブ装置に情報を読み取らせ、又はドライブ装置によって情報が書き込ませる（更新を含む）ことができる構成である。また、第２メモリボード４２は、例えばラブラリ装置においてもケース１２の右方に位置する図示しない読み取り装置に対し、後向きに非接触で通信を行ない、ライブラリ装置に情報を読み取らせることができる。
【００５４】
記録テープカートリッジ５０の他の構成は、記録テープカートリッジ１０と同じである。したがって、本第２の実施形態に係る記録テープカートリッジ５０では、磁気テープＴに記録したデータの保守性については、記録テープカートリッジ１０と全く同様に機能し、記録テープカートリッジ１０と同様の作用効果が得られる。
【００５５】
また、記録テープカートリッジ５０では、第１メモリボード３８が読取・書込用装置４６と通信する方向（下向き）と、第２メモリボード４２が読取・書込用装置４８と通信する方向（右向き）とが異なるため、第１メモリボード３８と第２メモリボード４２とを近接して配置しても上記各通信遺恨線が生じることがない。これにより、例えば、ケース１２の左後の角隅部１２Ｃを他の用途に利用することが可能となる。他の用途としては、例えば、ライトプロテクトが誤消去防止プラグによる磁気テープＴへのデータ書き込み可否の切り替え状態を表示するように、磁気テープＴへのデータ書き込み履歴の有無（記録テープカートリッジ１０が未使用であるか否か）等を表示することが考えられる。
【００５６】
なお、第２メモリボード４２は、通信方向が第１メモリボード３８の通信方向と異なれば足り、ドライブ装置やライブラリ装置に要求される通信方向に応じて通信方向が設定されても良い。
【００５７】
図５には、本発明の第３の実施形態に係る記録テープカートリッジ６０の後部が斜視図にて示されている。この図に示される如く、記録テープカートリッジ６０は、第２メモリボード４２に代えて、ＷＯＲＭ管理情報を記憶する第２メモリボード６２を備える点で、第１の実施形態に係る記録テープカートリッジ１０とは異なる。
【００５８】
図６に示される如く、第２メモリボード６２は、略Ｌ字型とされた基板６２Ａの前面にＩＣチップ６２Ｂが設けられると共に、該基板６２Ａの裏面に複数（本第３の実施形態では４つ）の端子６２Ｃが設けられて構成されている。この第２メモリボード６２は、ドライブ装置が読取・書込用装置４８に代えて有する図示しない読取・書込用装置が端子６２Ｃに電気的に接触して行なう通信によって、ドライブ装置に情報を読み取らせ、又はドライブ装置によって情報が書き込ませる（更新を含む）ことができる構成である。このため、ケース１２には、端子６２Ｃを読取・書込用装置の接触可能に露出させる端子窓６４が形成されている。
【００５９】
端子窓６４は、ケース１２の周壁における後向き部分である後壁１２Ｄの下部、すなわち後壁１２Ｄを構成する周壁２４Ｂの左端部に、各端子６２Ｃを独立して露出するように複数設けられている。これにより、各端子６２Ｃと読取・書込用装置の端子との接触位置ずれが防止されるようになっている。第２メモリボード６２は、後壁１２Ｄの内面に沿ってケース１２の角隅部１２Ｃ内に配置され、各端子６２Ｃが対応する端子窓６４から露出させている。この状態では、ＩＣチップ６２Ｂは、上ケース２２（周壁２２Ｂ）と下ケース２４（周壁２４Ｂ）との突き当て端であるケース１２のパーティングラインＰＬを跨ぐように位置している。
【００６０】
すなわち、第２メモリボード６２は、ケース１２内でパーティングラインＰＬを跨ぐように配置されており、その下部が下ケース２４に固着されると共に、その上部が上ケース２２に固着されている。これらの固着方法としては、例えば、超音波溶着やかしめ、接着等が用いられる。このように上ケース２２及び下ケース２４に固着された第２メモリボード６２は、該上ケース２２と下ケース２４とを４を分離すると破断し、ＩＣチップ６２Ｂ（に記憶している情報）が破壊される構成である。
【００６１】
記録テープカートリッジ６０の他の構成は、記録テープカートリッジ１０と同じである。したがって、本第３の実施形態に係る記録テープカートリッジ６０では、磁気テープＴに記録したデータの保守性については、記録テープカートリッジ１０と全く同様に機能し、記録テープカートリッジ１０と同様の作用効果が得られる。
【００６２】
また、記録テープカートリッジ６０では、第２メモリボード６２が接触式であるため、第１メモリボード３８が行なう通信との間で混線が生じることがない。このため、第２メモリボード６２を、通信方向を考慮することなく第１メモリボード３８に近接して配置することも可能であり、該第２メモリボード４２の配置の自由度が高い。すなわち、第２メモリボード６２は、ケース１２の角隅部１２Ｃに配置される構成に限られず、ドライブ装置側の要求に応じて所望の位置に配置することができる。また、接触式のメモリボード４２と比較して安価であるため、ＷＯＲＭ機能を有する記録テープカートリッジ６０を低コストで構成することができる。
【００６３】
さらに、ケース１２を分解すると第２メモリボード６２が破壊されるため、第２メモリボード６２の情報書き換えに対するセキュリティを高くしなくても、磁気テープＴに記録されたデータの保守性を向上することができる。すなわち、悪意のデータ改ざん者が第２メモリボード６２に記憶している情報を改変しようとして上ケース２２と下ケース２４とを分離すると、少なくともＩＣチップ６２Ｂが破壊され、該ＩＣチップ６２Ｂが記憶していた情報が消失する。すると、ＷＯＲＭ機能に対応するドライブ装置では、第２メモリボード６２と通信すべき読取・書込用装置が通信を行なうことができず、磁気テープＴへのデータ書き込みを拒否する。一方、ＷＯＲＭ機能に対応しないドライブ装置では、第１メモリボード３８の書き込み禁止情報、又は磁気テープＴのサーボ信号の相違によって磁気テープＴへのデータ書き込みを拒否する。
【００６４】
また、ユーザが誤ってケース１２を分解した場合には、さらに誤って磁気テープＴにデータを上書きしてしまうことが、上記悪意の場合と同様に防止される。この場合、ユーザは、記録テープカートリッジ６０をメーカに返却（修理依頼）することで、該記録テープカートリッジ６０の再使用を可能とすることができる。
【００６５】
なお、上記第１又は第２の実施形態における第２メモリボード４２を、上ケース２２及び下ケース２４に固着し、ケース１２の分解によって破壊されるように構成しても良い。また、ケース１２の分解によって第２メモリボード４２、６２を分解する他の構造として、例えば、第２メモリボード４２等を下ケース２４に固定すると共に、上ケースに設けたフックの先端を底板２４Ａと第２メモリボード４２等との間や第２メモリボード４２等自体に設けた孔に入り込ませておく構造などを採用することができる。本発明は、ケース１２の分解によって第２メモリボード４２、６２を分解する機能の有無や構造によって限定されることはない。
【００６６】
また、上記各実施形態では、第１メモリボード３８が非接触式メモリである構成としたが、本発明はこれに限定されず、例えば、第１メモリボード３８を第２メモリボード６２と同様に接触式メモリとして構成しても良い。すなわち、本発明における第１及び第２のメモリデバイスが共に接触式であっても良い。また、第１メモリボードを接触式メモリで構成すると共に第２メモリボードを非接触メモリで構成しても良い。
【００６７】
さらに、上記各実施形態では、第１及び第２メモリボード３８、４２、６２をケース１２の後部に配置した例を示したが、本発明はこれに限定されず、例えば、第１及び第２メモリボード３８、４２の何れか一方又は双方をケース１２の前部に配置しても良い。また、本発明は、ケース１２が平面視で略矩形状に形成される（角隅部を有する）構成に限定されることもない。
【００６８】
さらにまた、上記各実施形態では、記録メディアとしての磁気テープＴを巻装した単一のリール１４をケース１２内に収容した構成を例示したが、本発明はこれに限定されず、例えば、記録メディアとして円盤状に形成された光ディスク、光磁気ディスク、磁気ディスク等のディスクメディアを採用しても良く、磁気テープ等の記録テープの巻き出し用及び巻取用の２つのリールをケース内に収容した構成を採用しても良い。したがって、ケース１２の形状や構成についても、内部に収容する記録メディアや記録メディアカートリッジが装填されるドライブ装置の仕様等に応じたものとすることができ、上記各実施形態に係る形状、構成に限定されることはない。
【図面の簡単な説明】
【００６９】
【図１】本発明の第１の実施形態に係る記録テープカートリッジの全体構成を示す斜視図である。
【図２】本発明の第１の実施形態に係る記録テープカートリッジの分解斜視図である。
【図３】本発明の第１の実施形態に係る記録テープカートリッジのドライブ装置との通信状態を概念的に示す斜視図である。
【図４】本発明の第２の実施形態に係る記録テープカートリッジのドライブ装置との通信状態を概念的に示す斜視図である。
【図５】本発明の第３の実施形態に係る記録テープカートリッジを部分的に示す斜視図である。
【図６】本発明の第３の実施形態に係る記録テープカートリッジを構成する第２メモリボードの斜視図である。
【符号の説明】
【００７０】
１０    記録テープカートリッジ（記録メディアカートリッジ）
１２    ケース
１４    リール（ディスクメディア）
３８    第１メモリボード（第１のメモリデバイス）
４２    第２メモリボード（第２のメモリデバイス）
５０    記録テープカートリッジ（記録メディアカートリッジ）
６０    記録テープカートリッジ（記録メディアカートリッジ）
６２    第２メモリボード（第２のメモリデバイス）
Ｔ      磁気テープ（記録メディア）
【図１】
2006040435.tif 000003
【図２】
2006040435.tif 000004
【図３】
2006040435.tif 000005
【図４】
2006040435.tif 000006
【図５】
2006040435.tif 000007
【図６】
2006040435.tif 000008